(57)【要約】      （修正有）【課題】着付けが容易であり、かつ襟元の形状が崩れにくいセパレート式着物の上衣、及びセパレート式着物を提供する。【解決手段】前身頃２１，２２の内縁３５，３６に沿って帯状の着物襟３７が縫着されている。着物襟３７の裏側に帯状の重ね襟３８が重ねて縫着されている。重ね襟３８の裏側に、短手方向一端側の縁が重ね襟３８の縁からはみ出すように、帯状の襦袢襟３９が重ねて取り付けられている。前身頃２１，２２の内縁３５，３６から第２固定紐４５，４６が延出されている。第２固定紐４５，４６は、着用者の体を周回して、前身頃２１，２２及び後身頃２３，２４を固定する。後身頃２３，２４には、第２固定紐４５，４６が挿通される紐通しが設けられている。袖２５，２６の縫着位置より下方において、後身頃２３，２４と前身頃２１，２２との間にスリット３３，３４が形成されている。【選択図】図２
0003185385.tif 000002
【実用新案登録請求の範囲】
【請求項１】
上衣と下衣とに分離されたセパレート式着物の上衣であって、
左右方向に縫着されて一対を為し、着用者の体の後方側に位置する後身頃と、
上記一対の後身頃の上端部からそれぞれ前方に折り返されており、着用者の体の前方側に位置する一対の前身頃と、
上記前身頃及び上記後身頃の左右方向における両端にそれぞれ縫着された一対の袖と、
上記前身頃の左右方向における内縁に沿って縫着された帯状の着物襟と、
短手方向一端側の縁が上記着物襟からはみ出すように、上記着物襟の裏側に重ねて取り付けられた帯状の重ね襟と、
短手方向一端側の縁が上記重ね襟の上記縁からはみ出すように、上記重ね襟の裏側に重ねて取り付けられた帯状の襦袢襟と、
上記前身頃の左右方向における内縁からそれぞれ延出された紐状であって、着用者の体を周回して、上記前身頃及び上記後身頃を固定する固定紐と、
上記後身頃に設けられており、上記固定紐が挿通されて、上記固定紐によって上下方向に位置決めされる紐通しと、を備え、
上記袖の縫着位置より下方において、上記後身頃と上記前身頃との間にスリットが形成された上衣。
【請求項２】
上記襦袢襟は、上記重ね襟に対して着脱自在である請求項１から３に記載の上衣
【請求項３】
上記襦袢襟及び上記重ね襟の対向する面に、嵌合構造によって着脱自在な一対の留め具が取り付けられている請求項１又は２に記載の上衣。
【請求項４】
請求項１から３のいずれかに記載の上衣と、
上記上衣と共に着用される下衣と、
着用者の腹部に巻かれた着物帯の下端から一部が下方へはみ出すように、当該着物帯の内周側に巻かれる帯状のおはしょりベルトと、を備えたセパレート式着物。
【考案の詳細な説明】
【技術分野】
【０００１】
この考案は、上衣と下衣とに分離されたセパレート式着物に関するものである。
【背景技術】
【０００２】
一般に、着物の着付けには時間が掛かり、また熟練した者でなければ美しく着付けを行うことは困難である。そのため、着物に興味がある者が着物に対して敷居の高さを感じ、着物の購入をためらうことがある。あるいは、着物の所有者が着付けの手間を惜しんで、式典等の特別な日以外に着物を着用しないことがある。
【０００３】
着付けを容易に行うことができる着物として、たとえば、特許文献１〜３に記載されるようなセパレート式の着物が知られている。セパレート式の着物は、上半身に対応する上衣と下半身に対応する下衣とに分離されている。このようなセパレート式の着物は、着付けに慣れていない者であっても比較的簡単に着付けを行うことができる。
【先行技術文献】
【特許文献】
【０００４】
【特許文献１】特開２００３−０５５８０７号公報
【特許文献２】特開２０００−３２８３１３号公報
【特許文献３】特開平０７−０４８７０４号公報
【考案の概要】
【考案が解決しようとする課題】
【０００５】
上述されたようなセパレート式の着物であっても、着付けに慣れていない者が容易に着付けを行うには以下の点で十分ではなかった。着付けの美しさにおいて、「えり抜き」が重要であるとされる。えり抜きとは、肩部周辺の生地を後方へ引くことで、首筋と襟との間に隙間を作ることである。一般に着物の下には襦袢と呼ばれる肌着が着用されるが、襦袢の襟と着物の襟とがきれいに重なった状態にえり抜きをすることは、着付けに慣れていない者にとって困難である。また、えり抜きができたとしても、体を動かすことで襟元の形状が崩れてしまうことがある。
【０００６】
本考案はかかる背景のもとになされたものであって、着付けが容易であり、かつ襟元の形状が崩れにくいセパレート式着物の上衣、及びセパレート式着物を提供することにある。
【課題を解決するための手段】
【０００７】
(1)  本考案は、上衣と下衣とに分離されたセパレート式着物の上衣であって、左右方向に縫着されて一対を為し、着用者の体の後方側に位置する後身頃と、上記一対の後身頃の上端部からそれぞれ前方に折り返されており、着用者の体の前方側に位置する一対の前身頃と、上記前身頃及び上記後身頃の左右方向における両端にそれぞれ縫着された一対の袖と、上記前身頃の左右方向における内縁に沿って縫着された帯状の着物襟と、短手方向一端側の縁が上記着物襟からはみ出すように、上記着物襟の裏側に重ねて取り付けられた帯状の重ね襟と、短手方向一端側の縁が上記重ね襟の上記縁からはみ出すように、上記重ね襟の裏側に重ねて取り付けられた帯状の襦袢襟と、上記前身頃の左右方向における内縁からそれぞれ延出された紐状であって、着用者の体を周回して、上記前身頃及び上記後身頃を固定する固定紐と、上記後身頃に設けられており、上記固定紐が挿通されて、上記固定紐によって上下方向に位置決めされる紐通しと、を備えている。上記袖の縫着位置より下方において、上記後身頃と上記前身頃との間にスリットが形成されている。
【０００８】
本考案によると、表側から順に着物襟、重ね襟、及び襦袢襟が重ねて取り付けられて。それぞれが一体となっている。したがって、着付けに慣れていない者にも、えり抜きを容易に行うことができる。また、正面からは３つの襟が重なった状態に見えるため、見た目が美しく、あたかも着物の下に襦袢を着用しているように見せることができる。また、３つの襟が一体化しているため、体を動かしても襟元の形状が崩れにくい。
【０００９】
また、固定紐によって紐通しが上下方向に位置決めされるため、後身頃が上方にずれにくい。したがって、えり抜きの状態をさらに維持しやすくなる。さらに、後身頃と前身頃との間にスリットが形成されているため、後身頃と前身頃とを胴回りに部分的に重ねることが可能である。したがって後身頃及び前身頃を着用者の体にフィットさせることができる。
【００１０】
(2)  上記襦袢襟は、上記重ね襟に対して着脱自在であってもよい。
【００１１】
襦袢襟が着脱自在とされることで、襦袢襟を洗濯することが容易となる。
【００１２】
(3)  上記襦袢襟及び上記重ね襟の対向する面に、嵌合構造によって着脱自在な一対の留め具が取り付けられていてもよい。
【００１３】
(4)  本考案は、上記上衣と、上記上衣と共に着用される下衣と、着用者の腹部に巻かれた着物帯の下端から一部が下方へはみ出すように、当該着物帯の内周側に巻かれる帯状のおはしょりベルトと、を備えたセパレート式着物であってもよい。
【００１４】
上下一体の伝統的なデザインの着物において、着付けの際に着丈より長い余った生地が腰の辺りでたくし上げられる。たくし上げられた生地は、着物帯の下端から下方へはみ出す状態にされる。以上のような着付けの手法は「おはしょり」と称される。本考案では、おはしょりベルトが着物帯の下端からはみ出すことで、あたかも上下一体の着物を着用し、おはしょりをしているように見せることができる。
【００１５】
本考案に係るセパレート式着物の上衣、及びセパレート式着物は、着付けが容易であり、かつ襟元の形状が崩れにくい。
【図面の簡単な説明】
【００１６】
【図１】図１は、本考案の実施形態に係るセパレート式着物１０の着付けが完了した状態を示す図である。
【図２】図２は、上衣２０の構成を示す平面図である。
【図３】図３（Ａ）は、襦袢襟３９の平面図である。図３（Ｂ），（Ｃ）は、重ね襟３８の縫製の一例を示す図である。
【図４】図４（Ａ）は、前身頃２１，後身頃２３を構成する生地４３の平面図である。図４（Ｂ）は、袖２５を構成する生地４４の平面図である。
【図５】図５は、着付けの過程を示す１つ目の図である。
【図６】図６は、着付けの過程を示す２つ目の図である。
【図７】図７は、図６の襟元周辺を拡大して示した図である。
【図８】図８は、図６を着用者の後方側から観察した図である。
【図９】図９は、下衣５０の構成を示す平面図である。
【図１０】図１０は、着付けの過程を示す３つ目の図である。
【図１１】図１１は、おはしょりベルト６０の斜視図である。
【考案を実施するための形態】
【００１７】
以下、本考案の好ましい実施形態が、適宜図面が参照されながら説明される。
【００１８】
［セパレート式着物１０の概略］
【００１９】
図１に示されるセパレート式着物１０は、上衣２０、下衣５０、及びおはしょりベルト６０からなる。上衣２０は上半身に着用され、下衣５０は下半身に着用される。おはしょりベルト６０は、上衣２０と下衣５０との境界を覆うようにして、腹部に巻かれる。なお、おはしょりベルト６０の内側にタオルなどを挿入して補正の役割を果たすようにしてもよい。おはしょりベルト６０の外側には、着物帯７０が巻かれる。なお、着物帯７０は、通常の着付けに使用される一般的なものであり、セパレート式着物１０の構成には含まれない。以下、セパレート式着物１０を構成する上衣２０がより詳細に説明される。なお、以下の説明において、上下左右、前後を示す表現は、着用者の視点を前提としたものである。
【００２０】
［上衣２０］
【００２１】
図２に示される上衣２０は、それぞれが左右対称に一対を為す前身頃２１，２２、後身頃２３，２４、及び袖２５，２６などからなる。後身頃２３，２４は着用者の体の後方側を覆う。後身頃２３，２４は、中央線Ｌ１（図２，４）に沿って縫着されている。これにより、後身頃２３と後身頃２４とは、中央線Ｌ１に対して左右対称な形状となっている。中央線Ｌ１は着用者の体の中央に位置し、後身頃２３が着用者の体の左半部、後身頃２４が着用者の体の右半部に位置する。
【００２２】
後身頃２３の左端である外縁２７、及び後身頃２４の右端である外縁２８は、上下に沿って延びている。外縁２７，２８は、それぞれ、後身頃２３，２４の下端である下縁２９と連続している。外縁２７，２８と下縁２９とによって、後身頃２３，２４の下半部は概ね矩形の形状を呈している。
【００２３】
上下の対応する位置において、後身頃２３，２４の外縁２７，２８から、一対の第１固定紐３０，３１がそれぞれ延出されている。第１固定紐３０，３１は後身頃２３，２４の裏面に縫着されている。第１固定紐３０，３１は、着用者の腹部辺りで互いに結ばれて、後身頃２３，２４を、着用者の体に固定するものである。詳細は後述される。
【００２４】
後身頃２３，２４の表面であって、中央線Ｌ１上に、紐通し３２（図８）が設けられている。紐通し３２は、着用者の腰よりやや上方に位置している。紐通し３２には、後述される第２固定紐４５，４６（本考案の固定紐の一例。）が挿通される。
【００２５】
図２に示される前身頃２１は、着用者の左肩に位置する折り返し線Ｌ２（図４）を境界として後身頃２３と連続している。すなわち、折り返し線Ｌ２より後方側が後身頃２３、前方側が前身頃２１である。前身頃２１は、折り返し線Ｌ２で折り返されて、着用者の体の前方側を覆う。
【００２６】
同様に、前身頃２２は、着用者の右肩に位置する折り返し線Ｌ２を境界として後身頃２４と連続している。すなわち、上端部より後方側が後身頃２４、前方側が前身頃２２である。前身頃２２は、折り返し線Ｌ２で折り返されて、着用者の体の前方側を覆う。
【００２７】
後身頃２３及び前身頃２１の左端であって、外縁２７の上方に、ループ状の袖２５が縫着されている。袖２５は後身頃２３，２４及び前身頃２１，２２と同じ生地から縫製されている。袖２５は袖付Ｅ１，Ｅ２（図４）に沿って後身頃２３及び前身頃２１と縫着されている。それにより、後身頃２３と前身頃２１との間の空間が袖２５の内部に通じている。袖２５は概ね上半部が後身頃２３及び前身頃２１と縫着され、下半部が下方へ垂下されている。
【００２８】
同様に、後身頃２４及び前身頃２２の右端であって、外縁２８の上方に、ループ状の袖２６が縫着されている。袖２６は後身頃２３，２４及び前身頃２１，２２と同じ生地から縫製されている。袖２６は袖付Ｅ１，Ｅ２に沿って後身頃２４及び前身頃２２と縫着されている。それにより、後身頃２４と前身頃２２との間の空間が袖２６の内部に通じている。袖２６は概ね上半部が後身頃２４及び前身頃２２と縫着され、下半部が下方へ垂下されている。
【００２９】
図２に示されるように、袖２５，２６が縫着された位置より下方では、後身頃２３，２４と前身頃２１，２２とが分離されている。これにより、上衣２０の左端において、後身頃２３と前身頃２１との間にスリット３３が形成されている。同様に、上衣２０の右端において、後身頃２４と前身頃２２との間にスリット３４が形成されている。図２においては、前身頃２１，２２が上方へ捲り上げられており、スリット３３，３４が開かれた状態に示されている。なお、上記の説明におけるスリット３３，３４は、前身頃２１と後身頃２４との間の隙間のことである。このように、本発明のスリットとは、生地の間の隙間を指すのであって、生地を切断して形成される切り込みに限定されるものではない。
【００３０】
前身頃２１の右端である内縁３５、及び前身頃２２の左端である内縁３６に沿って帯状の着物襟３７が縫着されている。着物襟３７は、後身頃２３，２４及び前身頃２１，２２と同じ生地から縫製されている。着物帯７０は、中央線Ｌ１を中央として、内縁３５，３６に沿って左右両側に延びている。着物襟３７の両端は、それぞれ前身頃２１，２２の下端に位置している。
【００３１】
着物襟３７の裏面には、帯状の重ね襟３８が縫着されている。重ね襟３８は、着物襟３７とは異なる生地から縫製されている。重ね襟３８の形状は、概ね着物帯７０と同様であるが、着物帯７０と比較して長手方向に短い。そのため、重ね襟３８は、前身頃２１，２２の下端までは延びていない。重ね襟３８は、短手方向の一端の縁が着物襟３７から内側（着用者の体の中央側）へはみ出すように、重ね襟３８に対して縫着されている（図７を参照）。
【００３２】
重ね襟３８は、長方形状の生地が折り返されて、短手方向の両端が縫合されたものである。生地は、図３（Ｂ）に示されるように、表面と裏面とが接する状態に縫製されてもよいし、図３（Ｃ）に示されるように、表面同士が接する状態に縫製されてもよい。
【００３３】
重ね襟３８の裏側には、帯状の襦袢襟３９が取り付けられている。襦袢襟３９は、着物襟３７及び重ね襟３８とは異なる生地から縫製されている。襦袢襟３９の形状は、概ね重ね襟３８と同様である。図３（Ａ）に示されるように、襦袢襟３９の長手方向に所定間隔を隔てて、複数のスナップボタン４０が取り付けられている。また、図には示されないが、重ね襟３８の対向する位置にもスナップボタン４０が取り付けられている。重ね襟３８及び襦袢襟３９、に取り付けられた一対のスナップボタン４０は、凹凸の嵌合構造を有している。スナップボタン４０によって、襦袢襟３９は、重ね襟に対して着脱自在とされている。スナップボタン４０は、重ね襟３８及び襦袢襟３９の中央周辺、及び着付けの際に襦袢襟３９が交差される部分（図５を参照）の中央に取り付けられている。したがって、襦袢襟３９は、中央周辺及び交差部分が重ね襟３８に取り付けられ、長手方向の両端部は重ね襟３８と分離している。
【００３４】
図３には示されていないが、襦袢襟３９の内部、すなわち襦袢襟３９の表側の生地と裏側の生地との間に衿芯が入れられている。衿芯は一定の弾性を有した樹脂製であり、襦袢襟３９に対して取り外し可能となっている。衿芯は、襦袢襟の長手方向両端の開口から襦袢襟の内部に挿入される。
【００３５】
襦袢襟３９は、短手方向の一端の縁が重ね襟３８から内側へはみ出すように、重ね襟３８に対して取り付けられる。以上より、図７に示されるように、着用者の前方からは、表側から順に、着物襟３７、重ね襟３８、及び襦袢襟３９が、重なった状態に視認される。
【００３６】
図２に示されるように、着物襟３７の裏側に、一対の第２固定紐４５，４６がそれぞれ縫着されている。第２固定紐４５，４６は、着用者の体を周回した状態で結ばれて、後身頃２３，２４及び前身頃２１，２２を、着用者の体に固定するものである。詳細は後述される。
【００３７】
後身頃２３及び前身頃２１を構成する裁断された生地４３が図４（Ａ）に示される。また、袖２５構成する裁断された生地４４が図４（Ｂ）に示される。なお、後身頃２４、前身頃２２及び袖２６を構成する生地は、図４に示されたものと対称な形状であるため、省略されている。また、後身頃２３、前身頃２１、及び袖２５は、生地４３，４４の他にも、裏地となる生地を有しているが、裏地となる生地は省略されている。
【００３８】
図４（Ａ）に示される生地４３の折り返し線Ｌ２は、後身頃２３と前身頃２１との境界であり、生地４３が折り返される位置である。中央線Ｌ１は、後身頃２４と縫着されるラインである。位置Ｐ１は、紐通し３２が縫着される位置である。位置Ｐ２は、第１固定紐３０が縫着される位置である。位置Ｐ３は、第２固定紐４５が縫着される位置である。
【００３９】
袖２５は、図４（Ｂ）に示される２枚の生地４４が貼り合わせられるように縫着されて構成される。袖付Ｅ２は、生地４３の袖付Ｅ１と縫着されるラインである。
【００４０】
［着付けの手順］
以下、セパレート式着物１０の着付けの手順が以下に説明される。なお、本実施形態を説明するうえで必要の無い細部の手順は省略されている。省略された手順は、通常の着物の着付けの方法に従うものである。
【００４１】
着用者は、肌着などの上から上衣２０を羽織る。着用者は、第１固定紐３０，３１をそれぞれ前方に引き、適度な締め付けが得られる状態に第１固定紐３０，３１を締め上げて両者を結ぶ。結び目は腹部周辺に位置する。これにより、後身頃２３，２４が着用者の体にフィットした状態となる。また、着用者は、左側の襦袢襟３９が前方側に位置するように、左右両側の襦袢襟３９を胸部で交差させる。以上の手順を経た状態が図５に示される。
【００４２】
着用者は、前身頃２１，２２を体の前方に重ねる。その際、左側の前身頃２１が右側の前身頃２２の上に重ねられる。着用者は、左側の第２固定紐４５に体を時計回りに周回させたのち、第２固定紐４５を前方へ引く。また、着用者は、右側の第２固定紐４６に体を反時計回りに周回させた後、第２固定紐４６を前方へ引く。このとき、第２固定紐４６は、前身頃２１の裏側に隠れているが、後身頃２３と前身頃２１の間のスリット３３から外側へ引き出される。着用者は、適度な締め付けが得られる状態に第２固定紐４５，４６を締め上げて両端を結ぶ。結び目は腹部周辺に位置する。
【００４３】
図８に示されるように、着用者の体の後方側に回された第２固定紐４５，４６は、それぞれ紐通し３２に挿通される。紐通し３２は、第２固定紐４５，４６が延出する位置より僅かに上方側に位置している。そのため第２固定紐４５，４６によって、紐通し３２を下方へ引き下げる力が発生する。紐通し３２は、僅かに下方へ引き下げられた状態で、第２固定紐４５，４６によって上下に位置決めされる。着用者は、第２固定紐４５，４６が紐通し３２を介して後身頃２３，２４を下方へ引く力を利用して、上述されたえり抜きを行う。以上の手順を経た状態が図６，７，８に示される。
【００４４】
続けて着用者は、図９に示される下衣５０を着用する。下衣５０の構成は任意であるため、詳細な説明は省略されるが、下衣５０は概ね矩形に縫製されている。下衣５０の表側且つ上端部に沿って複数の紐通し５１が設けられている。各紐通し５１に第３固定紐５２が挿通されている。縫着位置Ｅ３において、第３固定紐５２は下衣５０に縫着されている。着用者は下半身を覆うようにして、上衣２０の外側から下衣５０を巻く。このとき、着用者は、紐遠し５１が上腹部周辺に位置するように、下衣５０の高さを調整する。着用者は、適度な締め付けが得られる状態に第３固定紐５２を締め上げて両端を結ぶ。以上の手順を経た状態が図１０に示される。
【００４５】
続けて着用者は、図１１に示される帯状のおはしょりベルト６０を着用する。おはしょりベルト６０は、着用者の腰回りであって、上衣２０と下衣５０との境界が隠れる位置に巻かれる。また、着用者は、おはしょりベルト６０の外側から、着物帯７０を巻く。着物帯７０は、通常の着物の着付けに使用される一般的な物であり、その締め方も通常の着付けの方法に従う。図１に示されるように、おはしょりベルト６０は、着物帯７０の下端から部分的にはみ出す状態とされる。
【００４６】
［実施形態の作用効果］
【００４７】
本実施形態によると、表側から順に着物襟３７、重ね襟３８、及び襦袢襟３９が重ねられて、それぞれが一体となっている。したがって、着付けに慣れていない者にも、えり抜きを容易に行うことができる。また、正面からは３つの襟が重なった状態に見えるため、見た目が美しく、あたかも着物の下に襦袢を着用しているように見せることができる。また、３つの襟が一体化しているため、体を動かしても襟元の形状が崩れにくい。
【００４８】
また、第２固定紐４５，４６によって紐通し３２が上下方向に位置決めされるため、後身頃２３，２４が上方にずれにくい。したがって、えり抜きの状態をさらに維持しやすくなる。さらに、後身頃２３，２４と前身頃２１，２２との間にスリット３３，３４が形成されているため、後身頃２３，２４と前身頃２１，２２とを胴回りに部分的に重ねることが可能である。したがって後身頃２３，２４及び前身頃２１，２２を着用者の体にフィットさせることができる。特に、第１固定紐３０，３１により、後身頃２３，２４を着用者の体にフィットさせることが更に容易となる。
【００４９】
また、襦袢襟３９がスナップボタン４０によって上衣２０に着脱自在とされることで、襦袢襟を洗濯することが容易となる。また、スナップボタン４０によって着脱が容易に行われるため、襦袢襟３９の取り扱いが容易である。
【００５０】
また、おはしょりベルト６０が着物帯７０の下端からはみ出すことで、あたかも上下一体の着物を着用し、おはしょりをしているように見せることができる。
【００５１】
［変形例］
上述された実施形態において、下衣５０の構成は任意であり、上衣２０と一致する形で当業者が適宜変更することができる。
【００５２】
また、襦袢襟３９は、スナップボタン４０以外の任意の方法で上衣２０に着脱自在とされてもよい。たとえば、襦袢襟３９を着脱自在とするために、ホックや面ファスナーが用いられてもよい。
【００５３】
上述された上衣２０の構成は一例であり、本考案の技術的範囲を外れない限りにおいて、細部の形状やデザインは適宜変更されうるものである。
【符号の説明】
【００５４】
１０・・・セパレート式着物
２０・・・上衣
５０・・・下衣
６０・・・おはしょりベルト
７０・・・着物帯
２１，２２・・・前身頃
２３，２４・・・後身頃
２５，２６・・・袖
２７，２８・・・外縁
２９・・・下縁
３０，３１・・・第１固定紐
３２・・・紐通し
３３，３４・・・スリット
３５，３６・・・内縁
３７・・・着物襟
３８・・・重ね襟
３９・・・襦袢襟
４０・・・スナップボタン
４１，４３，４４・・・生地
４５，４６・・・第２固定紐
５１・・・紐通し
５２・・・第３固定紐
【図１】
0003185385.tif 000003
【図２】
0003185385.tif 000004
【図３】
0003185385.tif 000005
【図４】
0003185385.tif 000006
【図５】
0003185385.tif 000007
【図６】
0003185385.tif 000008
【図７】
0003185385.tif 000009
【図８】
0003185385.tif 000010
【図９】
0003185385.tif 000011
【図１０】
0003185385.tif 000012
【図１１】
0003185385.tif 000013